(57)【要約】【課題】生産性がよく、ディスク側に帯電する静電気をベースハウジングを介して安定的に放電させることのできるディスク駆動装置を提供する。【解決手段】軸受ユニット２４は、記録ディスクを支持する導電性を有する回転体としてシャフト３０とハブ３４を含む。また、シャフト３０の少なくとも一部を包囲してシャフト３０を支持すると共に当該シャフト３０を介して記録ディスクと導通可能な導電樹脂ハウジング３６を含む。導電樹脂ハウジング３６はベースハウジング１６との導通を確保するために塗布される導電性接着剤５８を含む。そして、導電樹脂ハウジング３６は、導電性接着剤５８の塗布位置に導電樹脂ハウジング３６の内層を露出させる露出部５６を有する。【選択図】図２
2010152984.tif 000002
【特許請求の範囲】
【請求項１】
少なくとも一部に導電性を有するベースハウジングと、前記ベースハウジングの内部に配置され当該ベースハウジングに対して記録ディスクを回転自在に支持する軸受ユニットと、前記軸受ユニットに支持される記録ディスクを回転駆動する駆動ユニットと、を含むディスク駆動装置であって、
前記軸受ユニットは、
前記記録ディスクを支持する導電性を有する回転体と、当該回転体の少なくとも一部を包囲して前記回転体を支持すると共に当該回転体を介して前記記録ディスクと導通可能な導電樹脂ハウジングと、前記導電樹脂ハウジングと前記ベースハウジングとの導通を確保するために塗布される導電性塗料と、
を含み、
前記導電樹脂ハウジングは、前記導電性塗料の塗布位置に前記導電樹脂ハウジングの内層を露出させる露出部を有することを特徴とするディスク駆動装置。
【請求項２】
前記露出部は、前記導電樹脂ハウジングの成形時に樹脂を注入するゲート部分に残るゲート残り部に対応して形成されることを特徴とする請求項１記載のディスク駆動装置。
【請求項３】
前記露出部は、前記ベースハウジングの内壁近傍に形成されていることを特徴とする請求項１または請求項２記載のディスク駆動装置。
【請求項４】
前記導電性塗料は、前記露出部全体を覆うことを特徴とする請求項１から請求項３のいずれか１項に記載のディスク駆動装置。
【請求項５】
少なくとも一部に導電性を有するベースハウジングと、前記ベースハウジングの内部に配置され当該ベースハウジングに対して記録ディスクを回転自在に支持する軸受ユニットと、前記軸受ユニットに支持される記録ディスクを回転駆動する駆動ユニットと、を含むディスク駆動装置であって、
前記軸受ユニットは、
前記記録ディスクを支持する回転体と、当該回転体の少なくとも一部を包囲して前記回転体を支持すると共に当該回転体を介して前記記録ディスクと導通可能な導電性ハウジングと、前記ベースハウジングの内部に配置された前記軸受ユニットの導電性ハウジングを前記内部に固定するために前記導電性ハウジングの一部に塗布される非導電性接着剤と、前記導電性ハウジングと前記ベースハウジングとの導通を確保するために塗布される導電性塗料と、
を含み、
前記ベースハウジングまたは前記導電性ハウジングには、前記ベースハウジングと前記導電性ハウジングとが対向する対向面と交わる端面に前記対向面の延在方向に彫り込み形成された少なくとも２段の接着剤受入溝を有することを特徴とするディスク駆動装置。
【発明の詳細な説明】
【技術分野】
【０００１】
本発明は、ディスク駆動装置、特に、ディスク駆動装置に帯電する静電気の放電構造に関する。
【背景技術】
【０００２】
近年、固定ディスク駆動装置（以下、単にディスク駆動装置という）の記録密度を向上させる技術が急速に進歩し、それに伴い記録容量は飛躍的に高まっている。このような、ディスク駆動装置において、情報の記録は高速回転する記録ディスクに磁気的に記録される。ところで、このような記録ディスクは空気中で高速回転するため静電気を帯電してしまうことがある。記録ディスクに大量の静電気が帯電すると、磁気ヘッドの放電破壊や記録ディスクに記録した情報の破壊を起こす原因になる。このような記録ディスクにおける静電気の帯電を防止するために、ディスク駆動装置においては、記録ディスクに帯電した静電気をアースする導通路を確保する必要がある。ディスク駆動装置は、記録ディスクを支持するハブ、ハブが固定されたシャフト、シャフトを収納する軸受部材、軸受部材の一部を収納するベースハウジング（モータベースともいう場合がある）等の部材で構成され、それぞれ導通性を有する材料で形成することができる。したがって、記録ディスクに帯電した静電気を放電する導通路は、例えば、記録ディスクを支持するハブ、シャフト、軸受部材、ベースハウジングを電気的に接続することで確保することができる。
【０００３】
各構成部材間で導通を確保する場合、直接接触で導通が確保できればよいが、軸受部材とベースハウジングの接続のような強固な相互固定が必要な部分では信頼性のある接続方法を選択する必要がある。軸受部材とベースハウジングのように一方の部品を他方の部品の開口部に挿入して強固に固定する場合、圧入を行うことが考えられる。しかし、軸受部材のように数μｍの隙間を隔ててシャフトを回転自在に保持するような部品の場合、その変形を避ける必要がある。したがって、軸受部材に外力の加わりにくい接続方法を採用することが望ましい。
【０００４】
このような事情があるため、従来軸受部材とベースハウジングとを隙間バメにより組合せ、その間に接着剤を介在させて固定する方法が採用されることが多かった。ただしこの場合、軸受部材とベースハウジングとの間に接着剤が介在するため導通性が確保できなくなるという問題がある。軸受部材とベースハウジングとの間の導通性を確保する方法としてカシメや溶接、はんだ付けなどがあるがこの場合も作業中に大きな外力や高熱が加えられて部材の変形を招きやすく好ましくない。そこで、導電性を伴う接着が可能な導電性接着剤を用いた方法が提案されている（特許文献１参照）。
【特許文献１】特開２００４−２８９９８２号公報
【発明の開示】
【発明が解決しようとする課題】
【０００５】
上述したように軸受部材は、ディスク側に帯電する静電気をベースハウジングを介して放電させるために導電性を有することが必要であった。軸受部材を構成するスリーブやハウジングは銅材等の金属で形成されるが、軽量化やコスト削減の要望があり、軽量であり大量生産に適した材料で形成したいという要望があった。ただし、その場合でも十分な導電性能を確保する必要があると共に、製品ごとに導電特性のばらつきがないように配慮する必要があった。
【０００６】
本発明はこうした状況に鑑みてなされたものであり、その目的は、生産性がよく、ディスク側に帯電する静電気をベースハウジングを介して安定的に放電させることのできるディスク駆動装置を提供することにある。
【課題を解決するための手段】
【０００７】
上記課題を解決するために、本発明のある態様は、少なくとも一部に導電性を有するベースハウジングと、前記ベースハウジングの内部に配置され当該ベースハウジングに対して記録ディスクを回転自在に支持する軸受ユニットと、前記軸受ユニットに支持される記録ディスクを回転駆動する駆動ユニットと、を含むディスク駆動装置であって、前記軸受ユニットは、前記記録ディスクを支持する導電性を有する回転体と、当該回転体の少なくとも一部を包囲して前記回転体を支持すると共に当該回転体を介して前記記録ディスクと導通可能な導電樹脂ハウジングと、前記導電樹脂ハウジングと前記ベースハウジングとの導通を確保するために塗布される導電性塗料と、を含み、前記導電樹脂ハウジングは、前記導電性塗料の塗布位置に前記導電樹脂ハウジングの内層を露出させる露出部を有することを特徴とする。
【０００８】
軸受ユニットは、導電性を有する回転体と、この回転体を支持すると共に当該回転体を介して記録ディスクと導通可能な導電樹脂ハウジングとを含む。回転体は、例えば、ハブとシャフトで構成することができる。回転体を支持するハウジングを導電樹脂ハウジングとすることで導電性を維持しつつ構成部品の軽量化に寄与できる。また、樹脂成型品なので生産性の向上にも寄与できる。導電樹脂としては、ポリエーテルイミドなどの樹脂にカーボンなどの導電性フィラーを混在させたものが利用できる。この場合、成型品の表面で導電性フィラーが横に寝た形態となり易く、導電性フィラーを含有するにも拘わらず接触抵抗が大きくなったり、接触抵抗が大きくばらついたりする傾向がある。導電性塗料で導通を確保しようとする場合、塗布位置や塗布の広さは限られるので、接触抵抗が大きいことやばらつきが大きいことは通電性能を大きく左右する。そこで、導電樹脂ハウジングの内層を露出させる露出部を形成して、導電性フィラーを露出部の表面に露出させる。つまり、導電樹脂ハウジング表層の接触抵抗のばらつきが大きな部分を避けて、内層で導電性フィラーが露出して接触抵抗値が安定している部分と導電性塗料を接触させる。露出部は、例えば、成型された導電樹脂ハウジングの表面の一部を切削加工やその他の処理により排除して形成することができる。このように、露出部を形成することで導電性フィラーが露出した部分と導電性塗料を直接接触させることができるので、導電性塗料を部分的に塗布した形態でもベースハウジングとの導通を良好に行うことができる導電樹脂ハウジングが得られる。その結果、記録ディスク側に帯電する静電気をスムーズにベースハウジング側に流して放電させることができる。
【０００９】
また、上記態様において、前記露出部は、前記導電樹脂ハウジングの成形時に樹脂を注入するゲート部分に残るゲート残り部に対応して形成されてもよい。金型を用いて樹脂製品を成型する場合、溶融樹脂を注入孔となるゲートから金型に形成された空間に供給する。この場合、成型品にはゲート部分に注入路の痕であるゲート残り部が残る。通常この部分は切断等の除去処理が施される。したがって、その除去断面は金型と接触していない導電樹脂ハウジングの内層を露出させることになる。つまり、ゲート残り部と露出部を対応させることにより別途処理を行うことなく露出部を得ることが可能となり、ベースハウジングとの導通を良好に行うことのできる導電樹脂ハウジングを効率的かつ低コストで得ることができる。また、ゲート残り部の除去処理部分は、コンタミが排出される可能性のあるが、ゲート残り部と露出部を対応させることにより除去処理部分を導電性塗料で覆うことができる。その結果、上述した導電性能の向上に加え、コンタミ排出抑制が可能になり品質向上に寄与できる。
【００１０】
また、上記態様において、前記露出部は、前記ベースハウジングの内壁近傍に形成されているようにしてもよい。この態様によれば、少量の導電性塗料の塗布で確実な導通処理ができると共に、作業効率や導電性塗料の使用量削減によるコスト低減に寄与できる。
【００１１】
また、上記態様において、前記導電性塗料は、前記露出部全体を覆うようにしてもよい。この態様によれば、露出部からコンタミが排出されないようにすることを確実にすることができて、品質の向上に寄与できる。
【００１２】
上記課題を解決するために、本発明の別の態様は、少なくとも一部に導電性を有するベースハウジングと、前記ベースハウジングの内部に配置され当該ベースハウジングに対して記録ディスクを回転自在に支持する軸受ユニットと、前記軸受ユニットに支持される記録ディスクを回転駆動する駆動ユニットと、を含むディスク駆動装置であって、前記軸受ユニットは、前記記録ディスクを支持する回転体と、当該回転体の少なくとも一部を包囲して前記回転体を支持すると共に当該回転体を介して前記記録ディスクと導通可能な導電性ハウジングと、前記ベースハウジングの内部に配置された前記軸受ユニットの導電性ハウジングを前記内部に固定するために前記導電性ハウジングの一部に塗布される非導電性接着剤と、前記導電性ハウジングと前記ベースハウジングとの導通を確保するために塗布される導電性塗料と、を含み、前記ベースハウジングまたは前記導電性ハウジングには、前記ベースハウジングと前記導電性ハウジングとが対向する対向面と交わる端面に前記対向面の延在方向に彫り込み形成された少なくとも２段の接着剤受入溝を有することを特徴とする。
【００１３】
ベースハウジングと軸受ユニットとは強固に固定されることが望ましい。そのため、ベースハウジングの内部に配置された軸受ユニットの導電性ハウジングをベースハウジングの内部に固定する場合、接着特性を重視して導電性フィラー等を含まない非導電性接着剤で接着する。この場合、導電性ハウジングとベースハウジングとの導通を確保するために塗布する導電性塗料の塗布領域まで接着部分からはみ出した非導電性接着剤が進出してしまう場合がある。つまり、はみ出した非導電性接着剤が導電性塗料による導通を妨げてしまうことになる。そこで、ベースハウジングまたは導電性ハウジングに、ベースハウジングと導電性ハウジングとが対向する対向面と交わる端面に、対向面の延在方向に彫り込み形成された少なくとも２段の接着剤受入溝を形成する。非導電性接着剤を受け入れる接着剤受入溝は、１段目ではみ出した非導電性接着剤を受け入れ、１段目と２段目の境となる稜線部で非導電性接着剤がそれ以上広範囲に広がらないようにする。その結果、非導電性接着剤の進入しない導電性塗料の塗布領域を確保して非導電性接着剤で接着されたベースハウジングと導電性ハウジングとの導通を導電性塗料を介して行うことができる。
【発明の効果】
【００１４】
本発明のディスク駆動装置によれば、生産性がよく、ディスク側に帯電する静電気をベースハウジングを介して安定的に放電させることのできるディスク駆動装置が提供できる。
【発明を実施するための最良の形態】
【００１５】
以下、本発明の実施の形態（以下実施形態という）を、図面に基づいて説明する。図１は、本実施形態のディスク駆動装置１０の全体構成を説明する概略断面図である。
【００１６】
ディスク駆動装置１０は、例えばアルミニウム等の金属で成形された断面略凹形状のシャーシ１２と、当該シャーシ１２の窪み部分を覆う例えば金属製のカバー１４と、後述する軸受ユニットの基台となるベースハウジング１６によって密閉空間１８を形成するハウジング２０を含む。このハウジング２０の密閉空間１８には、磁気記録媒体である記録ディスク２２が軸受ユニット２４によって回転自在に支持されている。また、この軸受ユニット２４には、記録ディスク２２を回転駆動する駆動ユニット２６が接続されている。なお、ハウジング２０の内部には、回転する記録ディスク２２の半径方向に磁気ヘッド２８ａを揺動させながら記録ディスク２２に対しデータの書き込み及び読み出しを行うヘッドユニット２８が配置されている。
【００１７】
図２は、ハウジング２０の内部に配置される軸受ユニット２４及び駆動ユニット２６の概略拡大断面図である。
【００１８】
軸受ユニット２４は、シャフト３０、スリーブ３２、ハブ３４、導電樹脂ハウジング３６、シール部材３７を含んで構成されている。本実施形態においては、シャフト３０とハブ３４とで回転体を構成している。ハウジング２０の一部を構成するベースハウジング１６は円形開口部１６ａを有している。この円形開口部１６ａに略カップ形状の導電樹脂ハウジング３６が挿入されている。図２の場合、導電樹脂ハウジング３６は円形開口部１６ａの内壁面に接着性能を重視した非導電性接着剤で固定されている。導電樹脂ハウジング３６のカップ形状内部には、ベースハウジング１６側（下端）に動圧作用のためのフランジ３０ａを有し他端（上端）にハブ３４を固定したシャフト３０が回転自在に収納されている。また、シャフト３０と導電樹脂ハウジング３６との間には、シャフト３０の回転時に、当該シャフト３０を非接触で支持するスリーブ３２が配置され、導電樹脂ハウジング３６の内壁面に例えば非導電性接着剤等で固定されている。なお、シャフト３０の周囲には潤滑剤が満たされている。また、ハブ３４には記録ディスク２２が固定されている（図１参照）。
【００１９】
本実施形態で使用される軸受ユニット２４は、動圧軸受と呼ばれるものであり、前述したようにシャフト３０の例えば端部にフランジ３０ａが形成されている。そしてシャフト３０、フランジ３０ａ、スリーブ３２、導電樹脂ハウジング３６に囲まれた空間には潤滑剤が満たされている。また、スリーブ３２の内周で軸方向に離れた複数部分とフランジ３０ａの両端面にはヘリングボーン状の動圧溝が設けられている（不図示）。したがって、シャフト３０と共にフランジ３０ａが回転することにより潤滑剤に圧力の高い部分が生る。その圧力によりシャフト３０及びフランジ３０ａを周囲の壁面から離反させて、当該シャフト３０を実質的に非接触の回転状態として、記録ディスク２２の安定的な高速回転を実現し、安定したデータの書き込みまたは読み出しを実行させる。
【００２０】
なお、上述のようにベースハウジング１６と導電樹脂ハウジング３６を非導電性接着剤で固定することにより、ベースハウジング１６と導電樹脂ハウジング３６は隙間バメで組み立てることが可能となり、組立作業中に導電樹脂ハウジング３６に不要な外力が付与されることを防止できる。その結果、導電樹脂ハウジング３６の内部に収納するスリーブ３２の変形を防止できる。スリーブ３２の変形を排除することにより、スリーブ３２の内周部に配置されるシャフト３０が回転するときにスリーブ３２とシャフト３０との間に形成される隙間の精度を維持することが可能となり、スリーブ３２の回転の安定化ができる。また、記録ディスク２２を安定的に回転させることができるので、回転時の回転負荷が軽減され消費電力を抑えた駆動が可能となる。
【００２１】
また、軸受ユニット２４の一部の部品を導電樹脂ハウジング３６のような樹脂成型品で構成することにより部品性能を維持しつつ低コストで大量生産することができるようになり、軸受ユニット２４の低コスト化が可能になる。その結果、ディスク駆動装置１０の低コスト化が可能となる。なお、導電樹脂ハウジング３６を成型する際の導電樹脂は、ポリエーテルイミドなどの樹脂にカーボンなどの導電性フィラーを混在させたもの等が利用できる。
【００２２】
ベースハウジング１６の円形開口部１６ａを形成する開口壁面１６ｂの外壁面には、磁気発生用の複数個のコイル３８が巻回されたステータコア４０が固定されている。また、シャフト３０に固定されたハブ３４には、マグネット４２を支持するロータヨーク４４が、ステータコア４０とマグネット４２が対面するように固定されている。ステータコア４０とマグネット４２は、僅かな隙間を挟み対向し、マグネット４２の回転位置に応じた電流をコイル３８に流すことによりハブ３４を回転させることができる。つまり、ベースハウジング１６、コイル３８、ステータコア４０側のステータに対して、マグネット４２、ロータヨーク４４、ハブ３４、シャフト３０がロータとして機能し、記録ディスク２２を所定の速度で所定方向に回転させている。
【００２３】
ベースハウジング１６の一部には、コイル３８から引き出される引出線４８をハウジング２０の外部に導く貫通孔５０が形成されている。貫通孔５０から引き出された引出線４８はコネクタ５２を経由して回路基板５４に接続され、必要に応じ給電や信号のやり取りが実行される（図１参照）。
【００２４】
このように構成されるディスク駆動装置１０において、記録ディスク２２は空気中で高速回転するため静電気を帯電してしまうことがある。記録ディスク２２が大量の静電気を帯電すると、磁気ヘッド２８ａの放電破壊や記録ディスク２２に記録した情報の破壊を起こす原因になる。このような記録ディスク２２における静電気の帯電を防止するために、記録ディスク２２に帯電した静電気をアースする導通路を確保する必要がある。そのため、ディスク駆動装置１０は、記録ディスク２２を支持する軸受ユニット２４を導電性を有する複数の部品で構成している。具体的には、記録ディスク２２を載置するハブ３４、ハブ３４が固定されたシャフト３０、シャフト３０を収納するスリーブ３２、スリーブ３２を支持する導電樹脂ハウジング３６で構成している。そして、各部品に導電性を持たせることで導通路を形成して静電気をベースハウジング１６側に放電できる構造にしている。
【００２５】
ところで、導電樹脂ハウジング３６とベースハウジング１６とは、固定強度を重視して前述したように非導電性接着剤で接着される。非導電性接着剤を使用した場合、導電樹脂ハウジング３６とベースハウジング１６との接着強度が十分に確保できる反面、両者間の導通が得られなくなるので、非導電性接着剤の存在しない部分に導電性塗料を塗布して部分的な導通路を確保するようにしている。導電性塗料は、一例として例えば常温硬化型や加熱硬化型等のシリコーン樹脂にカーボン等の導電性フィラーを含有させた導電性接着剤が利用できる。
【００２６】
一方、導電樹脂ハウジング３６の母材となる導電樹脂は、前述したように、ポリエーテルイミドなどの樹脂にカーボンなどの導電性フィラーを混在させたものを利用できる。しかし、金型を用いた射出成型を行った場合、成型品の表面で導電性フィラーが横に寝た形態となり易く、導電性フィラーが存在するにも拘わらず接触抵抗が大きくなったり、接触抵抗が大きくばらついたりする傾向がある。したがって、塗布位置や塗布量に制限を受ける導電性接着剤を塗布しても安定した導通特性が得られない場合がある。
【００２７】
そこで、本実施形態においては、図２、図３に示すように、導電樹脂ハウジング３６の内層を露出させる露出部５６を形成している。図３（ａ）は、導電樹脂ハウジング３６の拡大縦断面図であり、図３（ｂ）は、図３（ａ）の矢印Ａ側から見た導電樹脂ハウジング３６の端面図である。ここで、導電樹脂ハウジング３６の内層とは、樹脂成型された導電樹脂ハウジング３６において金型と接触する部分を「表層」とした場合、それより内側の部分である。前述したように、導電樹脂を用いて金型成型をした成型品の表面は、導電性フィラーが露出し難いので接触抵抗が高くなりやすく、また導電性フィラーの分布も安定しないので接触抵抗自体のばらつきが大きい傾向がある。一方、内層には、導電性フィラーはほぼ均等に存在するので接触抵抗は、ばらつきが少なく安定する。したがって、導電樹脂ハウジング３６における露出部５６を含んで導電性塗料としての導電性接着剤５８を塗布して、当該導電性接着剤５８の他の一部をベースハウジング１６と接触するようにすれば、導電樹脂ハウジング３６とベースハウジング１６との導通を安定させることができる。
【００２８】
露出部５６は、例えば、金型成型された導電樹脂ハウジング３６の端面をエンドミル等の切削工具を用いて機械加工することにより容易に形成できる。図３の場合、露出部５６を２箇所形成している例を示しているが、露出部５６の形成数や露出部５６の大きさ、深さ等は、導電樹脂ハウジング３６の大きさや接触抵抗の大きさなどを考慮して設計段階で決定することができる。
【００２９】
また、露出部５６の形成位置は、導電性接着剤５８を介して露出部５６とベースハウジング１６とが導通接続できる位置であれば適宜選択可能であるが、図２、図３に示すように、ベースハウジング１６の内壁近傍に形成すれば、少量の導電性接着剤５８の塗布で確実な導通処理ができる。その結果、作業効率や導電性塗料の使用量削減によるコスト低減に寄与できる。また、導電性接着剤５８は、一部がベースハウジング１６と接触し、他の一部が露出部５６と接触していれば良好な導通特性を得ることができる。別の実施形態では、導電性接着剤５８は、露出部５６全体を覆うように塗布してもよい。露出部５６を形成することにより、導電性フィラーや露出部５６の部分に残っていた加工屑等がコンタミとして排出されてしまう場合がある。コンタミは、図１に示すように、密閉空間１８が形成された後に排出されると、絶縁破壊やヘッドクラッシュの原因になる場合がある。上述のように、コンタミが排出される原因となり得る露出部５６を完全に導電性接着剤５８で覆うことにより、導電性接着剤５８をコンタミ防止用のシール部材として機能させることが可能となり、品質向上に寄与することができる。また、露出部５６が導電性接着剤５８の塗布位置を示す目印となり、組み立て作業効率や作業の正確性の向上に寄与できる。
【００３０】
ところで、金型を用いた射出成型で導電樹脂ハウジング３６を作る場合、溶融した導電樹脂を注入孔となるゲートから金型内の空間へ供給する。そのため、成型品である導電樹脂ハウジング３６には、注入路の痕であるゲート残り部が残る。通常このゲート残り部は切断等の除去処理が施される。したがって、その除去断面は金型とは接触していない内層部分となる。つまり、ゲート残り部を除去処理した部分を露出部５６とすることができる。言い換えれば、樹脂成型品に必ず発生するゲート残り部を除去処理することにより、露出部５６を同時に形成することが可能となり、従来に比べ工程数を増加させることなく導通性能を向上させる露出部５６を形成することができる。
【００３１】
図４は、ゲート残り部６０を露出部とした導電樹脂ハウジング３６を用いて軸受ユニット２４を構成した概略構造図である。図４は、ゲート残り部６０を露出部とした導電樹脂ハウジング３６を用いている以外、図２に示す構造と同じであり、同様な機能を有する部材には同じ符号を付してその説明を省略する。
【００３２】
射出成型に用いる金型のゲート位置は、樹脂の注入効率や樹脂が冷却されたときの「ひけ」を考慮して設定される。このとき、図４に示すように、ベースハウジング１６の内壁近傍に対応する部分にゲート位置を設定すれば、図３で説明した場合と同様に、少量の導電性接着剤５８の塗布で確実な導通処理ができると共に、作業効率や導電性塗料の使用量削減によるコスト低減に寄与できる。また、ゲート残り部６０を除去処理した部分全体を導電性接着剤５８で覆えば、当該導電性接着剤５８を除去処理して内層が露出した部分からコンタミが排出されないようにするコンタミ防止用のシール部材として機能させることが可能となり、品質向上に寄与できる。なお、ゲート残り部６０の除去処理は、簡易的にゲート残り部６０を折るものでもよいし、工具を用いて切除したり切削したりするものでもよい。また、ゲート残り部６０を除去処理しやすいような形状にしたり、内層が効率的に露出できるような形状にしてもよい。
【００３３】
図５、図６は、図２とは異なる形態の軸受ユニット２４を示す。なお、図２と同じ機能を有する部材には、同じ符号を付してその説明を省略する。図５は、いわゆる２．５インチＨＤＤに採用される小型ディスク駆動装置に採用される軸受ユニット２４である。図５の例の場合は、図２と同様に導電樹脂ハウジング３６の端面に露出部５６を形成している。図５に示すように、導電樹脂ハウジング３６の端面は、ベースハウジング１６の端面とほぼ同じ端面高さで固定されているので、ベースハウジング１６側にも露出部５６に連なる凹部６２を形成している。露出部５６と凹部６２で形成される溝に導電性接着剤５８を塗布することにより、ベースハウジング１６と導電樹脂ハウジング３６の良好な導通を実現することができる。また、導電性接着剤５８が露出部５６と凹部６２で形成される溝に収納される状態となるので誤って触れてしまうことが防止され、組立作業中や搬送中に導電性接着剤５８が剥離したり脱落してしまうことが防止できる。
【００３４】
また、露出部５６の部分にゲート残り部６０が形成されるようにすれば、図４で説明した効果と同様の効果を得ることができる。なお、前述したように、図５の場合は、導電樹脂ハウジング３６の端面は、ベースハウジング１６の端面とほぼ同じ端面高さで固定されている。したがって、ゲート残り部６０を導電樹脂ハウジング３６の端面より１段掘り下げた位置に形成して、予め凹部６２と連なる凹部を形成しておき、その中にゲート残り部６０が形成されるようにすることが望ましい。また、凹部が導電性接着剤５８の塗布位置を示す目印となり、組み立て作業効率や作業の正確性の向上に寄与できる。
【００３５】
図６は、シャフト３０を含む軸受ユニット２４を図２の例より軸方向に延ばして軸受安定性を向上させた例である。図６の場合、ベースハウジング１６の円形開口部１６ａのハブ側端部で導電樹脂ハウジング３６との導通を確保する例を示している。この場合、円形開口部１６ａのハブ側端部に対応する位置、つまり、導電樹脂ハウジング３６の中間部分に露出部５６を形成して、導電性接着剤５８を塗布している。そして、ベースハウジング１６と導電樹脂ハウジング３６の良好な導通を実現している。また、露出部５６の部分にゲート残り部６０が形成されるようにすれば、図４で説明した効果と同様の効果を得ることができる。なお、この部分にゲート残り部６０が存在すると、ベースハウジング１６と導電樹脂ハウジング３６との組立作業時に、ゲート残り部６０が干渉する場合があるので、除去処理を丁寧に行うことが望ましい。別の例では、図５の場合と同様に、ゲート残り部６０を導電樹脂ハウジング３６の側面より１段掘り下げた位置に形成して、予め凹部を形成しておき、その中にゲート残り部６０が形成されるようにする。このような形態とすることでゲート残り部６０の除去処理を簡略化することが可能となり、製造効率を向上できる。また、凹部が導電性接着剤５８の塗布位置を示す目印となり、組み立て作業効率や作業の正確性の向上に寄与できる。
【００３６】
ところで、上述したように、ベースハウジング１６と導電樹脂ハウジング３６は、その接合強度を確保するために、接着強度を重視して導電性フィラー等を含有しない非導電性接着剤で接着される。この場合、前述したように、ベースハウジング１６と導電樹脂ハウジング３６との導通を確保するために導電性塗料を塗布している。しかし、ベースハウジング１６と導電樹脂ハウジング３６は密着接続されるため非導電性接着剤が接着対象面からはみ出してしまうことがある。また、はみ出した非導電性接着剤が導電性塗料の塗布予定領域まで広がってしまう場合がある。このような場合、導電性塗料を塗布したにも拘わらず非導電性接着剤で導通が妨げられてしまう。この問題は、金属等で形成された導電性ハウジングとベースハウジング１６を非導電性接着剤で接着する場合も同様に発生する。なお、以下の説明では、導電性ハウジングに導電樹脂ハウジング３６を含むものとする。
【００３７】
図７は、ベースハウジング１６と導電性ハウジング６４とを非導電性接着剤６６で接着した場合を模式的に示す模式図である。図７（ａ）は、ベースハウジング１６と導電性ハウジング６４が非導電性接着剤６６により接着されたときに、非導電性接着剤６６が接着対象面６６ａからはみ出して、はみ出した非導電性接着剤６６が導電性接着剤５８の塗布予定領域５８ａまで広がってしまった状態を示している。通常、ベースハウジング１６と導電性ハウジング６４は非導電性接着剤６６が塗布され、その硬化後に導電性接着剤５８の塗布が行われるので、図７（ａ）に示すように、導電性接着剤５８を塗布してもベースハウジング１６と導電性ハウジング６４の導通は得られない。
【００３８】
そこで、本実施形態の場合、図７（ｂ）に示すように、ベースハウジング１６は、当該ベースハウジング１６と導電性ハウジング６４とが対向する対向面と交わる端面に対向面の延在方向に彫り込み形成された少なくとも２段の接着剤受入溝６８を形成する。接着剤受入溝６８の奥側となる１段目の容積は、非導電性接着剤６６の塗布量に対してはみ出す量を予め試験等で確認しておき、はみ出し量より大きな容積とすればよい。接着剤受入溝６８は、１段目ではみ出した非導電性接着剤６６を受け入れ、１段目と２段目の境となる稜線部で非導電性接着剤６６がそれ以上広範囲に広がらないようにし、手前側となる２段目に導電性接着剤５８が収まるようにしている。その結果、非導電性接着剤６６の進入しない導電性接着剤５８の塗布領域を確保して非導電性接着剤６６で接着されたベースハウジング１６と導電性ハウジング６４との導通を導電性接着剤５８を介して良好に行うことができる。このように接着剤受入溝６８を複数段で構成して、非導電性接着剤６６を奥側の１段目で溜める。そして、導電性接着剤５８を２段目に塗布することで、ベースハウジング１６と導電性ハウジング６４の導電性を確実にしながらもベースハウジング１６の底面から接着剤がはみ出さないようにすることが容易にできる。また、導電性接着剤５８のベースハウジング１６からの突出が抑制できるので、ディスク駆動装置１０の搬送時や組立作業時に導電性接着剤５８に不要な外力が加わることが防止され、導電性接着剤５８の剥離が防止できて信頼性向上に寄与できる。
【００３９】
図７（ｃ）は、接着剤受入溝６８を導電性ハウジング６４側に設けた例である。この場合も、はみ出した非導電性接着剤６６を接着剤受入溝６８のうち奥側となる１段目で受け入れ、非導電性接着剤６６の進入しない導電性接着剤５８の塗布領域を確保できる。その結果、図７（ｂ）の例と同様に、非導電性接着剤６６で接着されたベースハウジング１６と導電性ハウジング６４との導通を導電性接着剤５８を介して良好に行うことができる。
【００４０】
図７（ｄ）は、図３で説明した導電樹脂ハウジング３６に図７（ｃ）の接着剤受入溝６８を適用した例である。この場合もはみ出した非導電性接着剤６６を接着剤受入溝６８のうち奥側となる１段目で受け入れて、露出部５６に非導電性接着剤６６が進入しないようにしている。その結果、露出部５６における導電性接着剤５８の塗布領域が確保できる。つまり、図７（ｂ）の例と同様に、非導電性接着剤６６で接着されたベースハウジング１６と導電樹脂ハウジング３６との導通を導電性接着剤５８を介して良好に行うことができる。
【００４１】
本発明は、上述の各実施形態に限定されるものではなく、当業者の知識に基づいて各種の設計変更等の変形を加えることも可能である。各図に示す構成は、一例を説明するためのもので、同様な機能を達成できる構成であれば、適宜変更可能であり、同様な効果を得ることができる。
【図面の簡単な説明】
【００４２】
【図１】本実施形態のディスク駆動装置の全体構成を説明する概略断面図である。
【図２】本実施形態のディスク駆動装置のハウジングの内部に配置される軸受ユニット及び駆動ユニットの概略拡大断面図である。
【図３】導電樹脂ハウジングの拡大図であり、（ａ）は拡大縦断面図であり、（ｂ）は、図３（ａ）の矢印Ａ側から見た導電樹脂ハウジングの端面図である。
【図４】本実施形態のディスク駆動装置において、ゲート残り部を露出部とした導電樹脂ハウジングを用いて軸受ユニットを構成した概略構造図である。
【図５】図２とは異なる形態の軸受ユニットを示す図である。
【図６】図２とは異なる形態の軸受ユニットを示す図である。
【図７】本実施形態のディスク駆動装置において、ベースハウジングと導電性ハウジングとを非導電性接着剤で接着した場合を模式的に示す模式図である。
【符号の説明】
【００４３】
１０  ディスク駆動装置、  ２０  ハウジング、  ２２  記録ディスク、  ２４  軸受ユニット、  ２６  駆動ユニット、  ３０  シャフト、  ３６  導電樹脂ハウジング、  ５６  露出部、  ５８  導電性接着剤、  ６０  ゲート残り部、  ６４  導電性ハウジング、  ６６  非導電性接着剤、  ６８  接着剤受入溝。  
【図１】
2010152984.tif 000003
【図２】
2010152984.tif 000004
【図３】
2010152984.tif 000005
【図４】
2010152984.tif 000006
【図５】
2010152984.tif 000007
【図６】
2010152984.tif 000008
【図７】
2010152984.tif 000009